(57)【要約】      （修正有）【課題】構成が簡単で、使いやすく、マルチＴＹＰＥ−Ｃ全機能インタフェースを有するディスプレイドライバ基板を提供する。【解決手段】ディスプレイドライバ基板は、第１、第２のＴＹＰＥ−Ｃインタフェースを備え、２つのＴＹＰＥ−Ｃインタフェースがそれぞれ第１、第２の接続装置に接続され、かついずれもＰＤ電源制御回路に双方向接続され、ＰＤ電源制御回路がＤＣ−ＤＣコンバータを介してシステム電源に双方向接続され、かつプロトコルチップに接続され、プロトコルチップが通信制御回路を介してそれぞれ２つのＴＹＰＥ−Ｃインタフェースに接続され、２つのＴＹＰＥ−ＣインタフェースがいずれもＵＳＢポートスイッチャーを介してＵＳＢ  ＨＵＢチップに接続され、かつそれぞれ第１、第２のＳＷＩＴＣＨチップを介して表示信号処理回路に接続され、プロトコルチップがそれぞれ第１、第２のＳＷＩＴＣＨチップの両面挿入制御信号の入力端に接続される。【選択図】図１
0003223805.tif 000002
【実用新案登録請求の範囲】
【請求項１】
信号入力端がそれぞれ第１の接続装置、第２の接続装置の信号出力端に接続される第１のＴＹＰＥ−Ｃインタフェース、第２のＴＹＰＥ−Ｃインタフェースを備えたマルチＴＹＰＥ−Ｃ全機能インタフェースを有するディスプレイドライバ基板であって、前記第１のＴＹＰＥ−Ｃインタフェース、第２のＴＹＰＥ−Ｃインタフェースの電源端がいずれもＰＤ電源制御回路に双方向接続され、ＰＤ電源制御回路がＤＣ−ＤＣコンバータを介してシステム電源に双方向接続され、ＰＤ電源制御回路の制御信号入力端がプロトコルチップの制御信号出力端に接続され、プロトコルチップのＣＣ信号接続端が通信制御回路を介してそれぞれ第１のＴＹＰＥ−Ｃインタフェース、第２のＴＹＰＥ−ＣインタフェースのＣＣ信号接続端に接続され、第１のＴＹＰＥ−Ｃインタフェース、第２のＴＹＰＥ−ＣインタフェースのＵＳＢ２．０信号端がいずれもＵＳＢポートスイッチャーの信号入力端に双方向接続され、ＵＳＢポートスイッチャーの信号出力端がＵＳＢ  ＨＵＢチップを介していくつかのＵＳＢインタフェースに接続され、第１のＴＹＰＥ−Ｃインタフェース、第２のＴＹＰＥ−Ｃインタフェースの出力信号端がそれぞれ第１のＳＷＩＴＣＨチップ、第２のＳＷＩＴＣＨチップの信号入力端に接続され、第１のＳＷＩＴＣＨチップ、第２のＳＷＩＴＣＨチップの信号出力端が表示信号処理回路に接続され、プロトコルチップの両面挿入制御信号の出力端がそれぞれ第１のＳＷＩＴＣＨチップ、第２のＳＷＩＴＣＨチップの両面挿入制御信号の入力端に接続され、プロトコルチップの選択制御信号出力端がＵＳＢポートスイッチャーの信号入力端に接続されることを特徴とするマルチＴＹＰＥ−Ｃ全機能インタフェースを有するディスプレイドライバ基板。
【請求項２】
前記ＰＤ電源制御回路は、第１のＭＯＳトランジスタＱ１３と、第２のＭＯＳトランジスタＱ１２とを備え、前記第１のＭＯＳトランジスタＱ１３のゲート電極が抵抗Ｒ３３の一端に接続され、前記抵抗Ｒ３３の他端が第１のＴＹＰＥ−ＣインタフェースのＴＹＰＥＣ０＿ＶＢＵＳ端子に接続され、前記第２のＭＯＳトランジスタＱ１２のゲート電極が抵抗Ｒ２５６の一端に接続され、前記抵抗Ｒ２５６の他端が第２のＴＹＰＥ−ＣインタフェースのＴＹＰＥＣ１＿ＶＢＵＳ端子に接続され、前記第１のＭＯＳトランジスタＱ１３のドレイン電極がそれぞれＴＹＰＥＣ０＿ＶＢＵＳ＿ＤＥＴ端子及び抵抗Ｒ２５４の一端に接続され、前記第２のＭＯＳトランジスタＱ１２のドレイン電極がそれぞれＴＹＰＥＣ１＿ＶＢＵＳ＿ＤＥＴ端子及び抵抗Ｒ２５６の一端に接続され、前記抵抗Ｒ２５４及び抵抗Ｒ２５６の他端がいずれもＤＣ−ＤＣコンバータに接続され、前記第１のＭＯＳトランジスタＱ１２及び第２のＭＯＳトランジスタＱ１３のソース電極がそれぞれ接地され、前記第１のＭＯＳトランジスタＱ１３及び第２のＭＯＳトランジスタＱ１２の型番がいずれも２Ｎ７００２であることを特徴とする請求項１に記載のマルチＴＹＰＥ−Ｃ全機能インタフェースを有するディスプレイドライバ基板。
【請求項３】
前記ＤＣ−ＤＣコンバータは降圧型ＤＣ−ＤＣコンバータＴＤ１５８３を用い、前記ＤＣ−ＤＣコンバータＴＤ１５８３のＳＷ端子が５Ｖ直流電流を出力することを特徴とする請求項１に記載のマルチＴＹＰＥ−Ｃ全機能インタフェースを有するディスプレイドライバ基板。
【請求項４】
前記通信制御回路は、ドレイン電極Ｄ１、Ｄ２、Ｄ３、Ｄ４端子がいずれも前記第１のＴＹＰＥ−ＣインタフェースのＴＹＰＥＣ０＿ＶＢＵＳ端子に接続される第３のＭＯＳトランジスタと、ドレイン電極Ｄ１、Ｄ２、Ｄ３、Ｄ４端子がいずれも前記第２のＴＹＰＥ−ＣインタフェースのＴＹＰＥＣ１＿ＶＢＵＳ端子に接続される第４のＭＯＳトランジスタとを備え、前記第３のＭＯＳトランジスタ及び第４のＭＯＳトランジスタの型番がいずれも９４３５であることを特徴とする請求項１に記載のマルチＴＹＰＥ−Ｃ全機能インタフェースを有するディスプレイドライバ基板。
【請求項５】
前記表示信号処理回路は、第１の表示信号処理回路及び第２の表示信号処理回路を備え、第１の表示信号処理回路は、第１のコンデンサＣ１３４及び第２のコンデンサＣ１３５を備え、第１のコンデンサＣ１３４は、一端がそれぞれ第１のＳＷＩＴＣＨチップのＡＵＸＰ−０端子、抵抗Ｒ２１２の一端、及び抵抗Ｒ９１３の一端に接続され、他端がディスプレイスクリーンのＡＵＸ−ＣＨＰ−０端子に接続され、抵抗Ｒ２１２の他端が第１のＳＷＩＴＣＨチップの３Ｖ３−ＳＹＳ端子に接続され、抵抗Ｒ９１３の他端がディスプレイスクリーンのＤＰ−ＳＩＮＫ−ＡＳＳ−Ｐ０端子に接続され、第２のコンデンサＣ１３５は、一端がそれぞれ第１のＳＷＩＴＣＨチップのＡＵＸＮ−０端子、抵抗Ｒ２２１の一端、及び抵抗Ｒ２１１の一端に接続され、他端がディスプレイスクリーンのＡＵＸ−ＣＨＮ−０端子に接続され、抵抗Ｒ２２１の他端が接地され、抵抗Ｒ２１１の他端がディスプレイスクリーンのＤＰ−ＳＩＮＫ−ＡＳＳ−Ｎ０端子に接続され、第２の表示信号処理回路は、第３のコンデンサＣ１４１及び第４のコンデンサＣ１４２を備え、第３のコンデンサＣ１４１は、一端がそれぞれ第２のＳＷＩＴＣＨチップのＡＵＸＰ−１端子、抵抗Ｒ２４５の一端、及び抵抗Ｒ２４４の一端に接続され、他端がディスプレイスクリーンのＡＵＸ−ＣＨＰ−１端子に接続され、抵抗Ｒ２４５の他端が第２のＳＷＩＴＣＨチップの３Ｖ３−ＳＹＳ端子に接続され、抵抗Ｒ２４４の他端がディスプレイスクリーンのＤＰ−ＳＩＮＫ−ＡＳＳ−Ｐ１端子に接続され、第４のコンデンサＣ１４２は、一端がそれぞれ第２のＳＷＩＴＣＨチップのＡＵＸＮ−１端子、抵抗Ｒ２４６の一端、及び抵抗Ｒ２４３の一端に接続され、他端がディスプレイスクリーンのＡＵＸ−ＣＨＮ−１端子に接続され、抵抗Ｒ２４６の他端が接地され、抵抗Ｒ２４３の他端がディスプレイスクリーンのＤＰ−ＳＩＮＫ−ＡＳＳ−Ｎ１端子に接続されることを特徴とする請求項１に記載のマルチＴＹＰＥ−Ｃ全機能インタフェースを有するディスプレイドライバ基板。
【考案の詳細な説明】
【技術分野】
【０００１】
本発明は電子製品分野に関し、特にマルチＴＹＰＥ−Ｃ全機能インタフェースを有するディスプレイドライバ基板に関する。
【背景技術】
【０００２】
ディスプレイドライバ基板はホストとディスプレイスクリーンを接続するインタフェースカードであり、その役割がホストの出力情報を文字、画像及び色等の情報に変換し、ディスプレイスクリーンに伝送して表示することである。現在市販されているディスプレイドライバ基板はデュアルＵＳＢ−Ｃ（ＴＹＰＥ−Ｃ）全機能インタフェースを有さず、一部のモバイルディスプレイスクリーンにとっては非常に不便であり、人々の使用ニーズを満たすことができない。
【考案の概要】
【考案が解決しようとする課題】
【０００３】
本発明は、上記課題に対して、構成が簡単で、使いやすく、マルチＴＹＰＥ−Ｃ全機能インタフェースを有するディスプレイドライバ基板を提供することを目的とする。
【課題を解決するための手段】
【０００４】
上記目的を実現するために、本発明は以下の技術案を用いる。
【０００５】
マルチＴＹＰＥ−Ｃ全機能インタフェースを有するディスプレイドライバ基板であって、信号入力端がそれぞれ第１の接続装置、第２の接続装置の信号出力端に接続される第１のＴＹＰＥ−Ｃインタフェース、第２のＴＹＰＥ−Ｃインタフェースを備え、前記第１のＴＹＰＥ−Ｃインタフェース、第２のＴＹＰＥ−Ｃインタフェースの電源端がいずれもＰＤ電源制御回路に双方向接続され、ＰＤ電源制御回路がＤＣ−ＤＣコンバータを介してシステム電源に双方向接続され、ＰＤ電源制御回路の制御信号入力端がプロトコルチップの制御信号出力端に接続され、プロトコルチップのＣＣ信号接続端が通信制御回路を介してそれぞれ第１のＴＹＰＥ−Ｃインタフェース、第２のＴＹＰＥ−ＣインタフェースのＣＣ信号接続端に接続され、第１のＴＹＰＥ−Ｃインタフェース、第２のＴＹＰＥ−ＣインタフェースのＵＳＢ２．０信号端がいずれもＵＳＢポートスイッチャーの信号入力端に双方向接続され、ＵＳＢポートスイッチャーの信号出力端がＵＳＢ  ＨＵＢチップを介していくつかのＵＳＢインタフェースに接続され、第１のＴＹＰＥ−Ｃインタフェース、第２のＴＹＰＥ−Ｃインタフェースの出力信号端がそれぞれ第１のＳＷＩＴＣＨチップ、第２のＳＷＩＴＣＨチップの信号入力端に接続され、第１のＳＷＩＴＣＨチップ、第２のＳＷＩＴＣＨチップの信号出力端が表示信号処理回路に接続され、プロトコルチップの両面挿入制御信号の出力端がそれぞれ第１のＳＷＩＴＣＨチップ、第２のＳＷＩＴＣＨチップの両面挿入制御信号の入力端に接続され、プロトコルチップの選択制御信号出力端がＵＳＢポートスイッチャーの信号入力端に接続される。
【０００６】
さらに、前記ＰＤ電源制御回路は、第１のＭＯＳトランジスタＱ１３と第２のＭＯＳトランジスタＱ１２とを備え、前記第１のＭＯＳトランジスタＱ１３のゲート電極が抵抗Ｒ３３の一端に接続され、前記抵抗Ｒ３３の他端が第１のＴＹＰＥ−ＣインタフェースのＴＹＰＥＣ０＿ＶＢＵＳ端子に接続され、前記第２のＭＯＳトランジスタＱ１２のゲート電極が抵抗Ｒ２５６の一端に接続され、前記抵抗Ｒ２５６の他端が第２のＴＹＰＥ−ＣインタフェースのＴＹＰＥＣ１＿ＶＢＵＳ端子に接続され、前記第１のＭＯＳトランジスタＱ１３のドレイン電極がそれぞれＴＹＰＥＣ０＿ＶＢＵＳ＿ＤＥＴ端子及び抵抗Ｒ２５４の一端に接続され、前記第２のＭＯＳトランジスタＱ１２のドレイン電極がそれぞれＴＹＰＥＣ１＿ＶＢＵＳ＿ＤＥＴ端子及び抵抗Ｒ２５６の一端に接続され、前記抵抗Ｒ２５４及び抵抗Ｒ２５６の他端がいずれもＤＣ−ＤＣコンバータに接続され、前記第１のＭＯＳトランジスタＱ１２及び第２のＭＯＳトランジスタＱ１３のソース電極がそれぞれ接地され、前記第１のＭＯＳトランジスタＱ１３及び第２のＭＯＳトランジスタＱ１２の型番がいずれも２Ｎ７００２である。
【０００７】
さらに、前記ＤＣ−ＤＣコンバータは降圧型ＤＣ−ＤＣコンバータＴＤ１５８３を用い、前記ＤＣ−ＤＣコンバータＴＤ１５８３のＳＷ端子が５Ｖ直流電流を出力する。
【０００８】
さらに、前記通信制御回路は、ドレイン電極Ｄ１、Ｄ２、Ｄ３、Ｄ４端子がいずれも前記第１のＴＹＰＥ−ＣインタフェースのＴＹＰＥＣ０＿ＶＢＵＳ端子に接続される第３のＭＯＳトランジスタと、ドレイン電極Ｄ１、Ｄ２、Ｄ３、Ｄ４端子がいずれも前記第２のＴＹＰＥ−ＣインタフェースのＴＹＰＥＣ１＿ＶＢＵＳ端子に接続される第４のＭＯＳトランジスタとを備え、前記第３のＭＯＳトランジスタ及び第４のＭＯＳトランジスタの型番がいずれも９４３５である。
【０００９】
さらに、前記表示信号処理回路は、第１の表示信号処理回路及び第２の表示信号処理回路を備え、第１の表示信号処理回路は、第１のコンデンサＣ１３４及び第２のコンデンサＣ１３５を備え、第１のコンデンサＣ１３４は、一端がそれぞれ第１のＳＷＩＴＣＨチップのＡＵＸＰ−０端子、抵抗Ｒ２１２の一端、及び抵抗Ｒ９１３の一端に接続され、他端がディスプレイスクリーンのＡＵＸ−ＣＨＰ−０端子に接続され、抵抗Ｒ２１２の他端が第１のＳＷＩＴＣＨチップの３Ｖ３−ＳＹＳ端子に接続され、抵抗Ｒ９１３の他端がディスプレイスクリーンのＤＰ−ＳＩＮＫ−ＡＳＳ−Ｐ０端子に接続され、第２のコンデンサＣ１３５は、一端がそれぞれ第１のＳＷＩＴＣＨチップのＡＵＸＮ−０端子、抵抗Ｒ２２１の一端、及び抵抗Ｒ２１１の一端に接続され、他端がディスプレイスクリーンのＡＵＸ−ＣＨＮ−０端子に接続され、抵抗Ｒ２２１の他端が接地され、抵抗Ｒ２１１の他端がディスプレイスクリーンのＤＰ−ＳＩＮＫ−ＡＳＳ−Ｎ０端子に接続され、第２の表示信号処理回路は、第３のコンデンサＣ１４１及び第４のコンデンサＣ１４２を備え、第３のコンデンサＣ１４１は、一端がそれぞれ第２のＳＷＩＴＣＨチップのＡＵＸＰ−１端子、抵抗Ｒ２４５の一端、及び抵抗Ｒ２４４の一端に接続され、他端がディスプレイスクリーンのＡＵＸ−ＣＨＰ−１端子に接続され、抵抗Ｒ２４５の他端が第２のＳＷＩＴＣＨチップの３Ｖ３−ＳＹＳ端子に接続され、抵抗Ｒ２４４の他端がディスプレイスクリーンのＤＰ−ＳＩＮＫ−ＡＳＳ−Ｐ１端子に接続され、第４のコンデンサＣ１４２は、一端がそれぞれ第２のＳＷＩＴＣＨチップのＡＵＸＮ−１端子、抵抗Ｒ２４６の一端、及び抵抗Ｒ２４３の一端に接続され、他端がディスプレイスクリーンのＡＵＸ−ＣＨＮ−１端子に接続され、抵抗Ｒ２４６の他端が接地され、抵抗Ｒ２４３の他端がディスプレイスクリーンのＤＰ−ＳＩＮＫ−ＡＳＳ−Ｎ１端子に接続される。
【考案の効果】
【００１０】
従来技術に比べて、本発明は以下の利点及び有益な効果を有する。
【００１１】
本発明に係るディスプレイドライバ基板は、いずれもディスプレイスクリーンに電源、信号及びＵＳＢ２．０「アップリンクポート」又は「ダウンリンクポート」を提供することができる２つの全機能ＴＹＰＥ−Ｃインタフェースを有し、使用中に、２つのＴＹＰＥ−Ｃインタフェースのうち、１つのみが接続装置に接続される場合、ディスプレイドライバ基板におけるプロトコルチップは、通信制御回路を介して接続装置に接続されるとともに、接続装置から電力を取得し、電力取得に失敗する場合はディスプレイスクリーンが動作せず、電力取得に成功する場合はディスプレイスクリーンを点灯させ、かつＵＳＢポートスイッチャーに接続されることでＵＳＢ  ＨＵＢチップに接続され、ＵＳＢ  ＨＵＢチップによりデータ接続のための複数のＵＳＢインタフェースを拡張し、別のＴＹＰＥ−Ｃインタフェースが２番目の接続装置に接続される場合、ディスプレイドライバ基板は、通信制御回路を介して２番目の接続装置に接続され、それによりその給電能力を検出し、その給電能力が１番目の接続装置より大きい場合、対応する電流が供給してシステムに給電され、１番目の接続装置をデータ接続装置として用い、その給電能力が１番目の接続装置より小さい場合は２番目の接続装置をデータ接続装置として用いる。本発明は、ＴＹＰＥ−Ｃインタフェースにより異なる接続装置を検出することにより、テレビ、携帯電話又はタブレットのディスプレイスクリーンが電源を必要とするときに接続装置により提供可能であり、かつ給電能力の高い接続装置を優先的に選択して、給電能力の低い装置を充電し、本発明の使用効果を高め、人々の使用に高い利便性を提供する。
【００１２】
本発明の実施例又は従来技術の技術案を明らかに説明するために、以下、実施例又は従来技術の説明に使用される図面を簡単に説明し、明らかなように、以下説明される図面は本発明のいくつかの実施例に過ぎず、当業者は、これらの図面に基づいて創造的な労働をせずに他の図面を取得することができる。
【図面の簡単な説明】
【００１３】
【図１】図１は、本発明のフレーム構成を示す図である。
【図２】図２は、第１のＴＹＰＥ−Ｃインタフェースのピン接続図である。
【図３】図３は、第２のＴＹＰＥ−Ｃインタフェースのピン接続図である。
【図４】図４は、第１のＳＷＩＴＣＨチップのピン接続図である。
【図５】図５は、第２のＳＷＩＴＣＨチップのピン接続図である。
【図６】図６は、第１の表示信号処理回路の回路構成図である。
【図７】図７は、第２の表示信号処理回路の回路構成図である。
【図８】図８は、プロトコルチップのピン接続図である。
【図９】図９は、通信制御回路の回路構成図である。
【図１０】図１０は、ＰＤ電源制御回路の回路構成図である。
【図１１】図１１は、ＤＣ−ＤＣコンバータのピン接続図である。
【図１２】図１２は、ＵＳＢポートスイッチャーのピン接続図である。
【図１３】図１３は、ＵＳＢ  ＨＵＢチップのピン接続図である。
【図１４】図１４は、ＵＳＢインタフェースのピン接続図である。
【考案を実施するための形態】
【００１４】
以下、本発明の実施例の図面を参照しながら、本発明の実施例の技術案を明確かつ完全に説明し、明らかなように、説明される実施例は本発明の一部の実施例に過ぎず、すべての実施例ではない。本発明の実施例に基づき、当業者が創造的な労働をせずに取得した他の実施例、修正、等価置換、改良等はすべて本発明の保護範囲に属すべきである。
【００１５】
図１−図１４に示すように、マルチＴＹＰＥ−Ｃ全機能インタフェースを有するディスプレイドライバ基板は、第１のＴＹＰＥ−Ｃインタフェース、第２のＴＹＰＥ−Ｃインタフェースを備え、第１のＴＹＰＥ−Ｃインタフェース、第２のＴＹＰＥ−Ｃインタフェースの型番がＴｙｐｅ  Ｃ−  Ｍｉｄ−Ｍｏｕｎｔ  ＳＭＴであり、第１のＴＹＰＥ−Ｃインタフェース、第２のＴＹＰＥ−Ｃインタフェースの信号入力端がそれぞれ第１の接続装置、第２の接続装置の信号出力端に接続され、第１のＴＹＰＥ−Ｃインタフェース、第２のＴＹＰＥ−Ｃインタフェースの電源端がいずれもＰＤ電源制御回路に双方向接続され、ＰＤ電源制御回路は、ＤＣ−ＤＣコンバータを介してシステム電源に双方向接続され、ＰＤ電源制御回路の制御信号入力端がプロトコルチップの制御信号出力端に接続され、プロトコルチップの型番がＬＤＲ６０２３であり、プロトコルチップのＣＣ信号接続端が通信制御回路を介してそれぞれ第１のＴＹＰＥ−Ｃインタフェース、第２のＴＹＰＥ−ＣインタフェースのＣＣ信号接続端に接続され、第１のＴＹＰＥ−Ｃインタフェース、第２のＴＹＰＥ−ＣインタフェースのＵＳＢ２．０信号端がいずれもＵＳＢポートスイッチャーの信号入力端に双方向接続され、ＵＳＢポートスイッチャーの型番がＡＺＡＷ２２１０Ｆであり、ＵＳＢポートスイッチャーの信号出力端がＵＳＢ  ＨＵＢチップを介していくつかのＵＳＢインタフェースに接続され、ＵＳＢインタフェースがキーボード、マウス等のデータ接続製品を接続するためのものであり、ＵＳＢ  ＨＵＢチップの型番がＦＥ１．１Ｓであり、第１のＴＹＰＥ−Ｃインタフェース、第２のＴＹＰＥ−Ｃインタフェースの出力信号端がそれぞれ第１のＳＷＩＴＣＨチップ、第２のＳＷＩＴＣＨチップの信号入力端に接続され、第１のＳＷＩＴＣＨチップ、第２のＳＷＩＴＣＨチップの型番がＳＷＩＴＣＨ４６０Ｓであり、第１のＳＷＩＴＣＨチップ、第２のＳＷＩＴＣＨチップの信号出力端が表示信号処理回路に接続され、プロトコルチップの両面挿入制御信号の出力端がそれぞれ第１のＳＷＩＴＣＨチップ、第２のＳＷＩＴＣＨチップの両面挿入制御信号の入力端に接続され、プロトコルチップの選択制御信号出力端がＵＳＢポートスイッチャーの信号入力端に接続される。
【００１６】
前記ＰＤ電源制御回路は、第１のＭＯＳトランジスタＱ１３と第２のＭＯＳトランジスタＱ１２とを備え、前記第１のＭＯＳトランジスタＱ１３のゲート電極が抵抗Ｒ３３の一端に接続され、前記抵抗Ｒ３３の他端が第１のＴＹＰＥ−ＣインタフェースのＴＹＰＥＣ０＿ＶＢＵＳ端子に接続され、前記第２のＭＯＳトランジスタＱ１２のゲート電極が抵抗Ｒ２５６の一端に接続され、前記抵抗Ｒ２５６の他端が第２のＴＹＰＥ−ＣインタフェースのＴＹＰＥＣ１＿ＶＢＵＳ端子に接続され、前記第１のＭＯＳトランジスタＱ１３のドレイン電極がそれぞれＴＹＰＥＣ０＿ＶＢＵＳ＿ＤＥＴ端子及び抵抗Ｒ２５４の一端に接続され、前記第２のＭＯＳトランジスタＱ１２のドレイン電極がそれぞれＴＹＰＥＣ１＿ＶＢＵＳ＿ＤＥＴ端子及び抵抗Ｒ２５６の一端に接続され、前記抵抗Ｒ２５４及び抵抗Ｒ２５６の他端がいずれもＤＣ−ＤＣコンバータの電源出力端５Ｖ＿ＳＹＳに接続され、前記第１のＭＯＳトランジスタＱ１２及び第２のＭＯＳトランジスタＱ１３のソース電極がそれぞれ接地され、前記第１のＭＯＳトランジスタＱ１３及び第２のＭＯＳトランジスタＱ１２の型番がいずれも２Ｎ７００２である。
【００１７】
前記ＤＣ−ＤＣコンバータは降圧型ＤＣ−ＤＣコンバータＴＤ１５８３を用い、前記ＤＣ−ＤＣコンバータＴＤ１５８３のＳＷ端子が５Ｖ直流電流を出力又は入力し、ＤＣ−ＤＣコンバータＴＤ１５８３のＶＣＣ＿ＩＮ端子がシステム電源に接続される。
【００１８】
前記通信制御回路は、ドレイン電極Ｄ１、Ｄ２、Ｄ３、Ｄ４端子がいずれも前記第１のＴＹＰＥ−ＣインタフェースのＴＹＰＥＣ０＿ＶＢＵＳ端子に接続される第３のＭＯＳトランジスタと、ドレイン電極Ｄ１、Ｄ２、Ｄ３、Ｄ４端子がいずれも前記第２のＴＹＰＥ−ＣインタフェースのＴＹＰＥＣ１＿ＶＢＵＳ端子に接続される第４のＭＯＳトランジスタとを備え、前記第３のＭＯＳトランジスタ及び第４のＭＯＳトランジスタの型番がいずれも９４３５である。
【００１９】
前記表示信号処理回路は、第１の表示信号処理回路及び第２の表示信号処理回路を備え、第１の表示信号処理回路は、第１のコンデンサＣ１３４及び第２のコンデンサＣ１３５を備え、第１のコンデンサＣ１３４は、一端がそれぞれ第１のＳＷＩＴＣＨチップのＡＵＸＰ−０端子、抵抗Ｒ２１２の一端、及び抵抗Ｒ９１３の一端に接続され、他端がディスプレイスクリーンのＡＵＸ−ＣＨＰ−０端子に接続され、抵抗Ｒ２１２の他端が第１のＳＷＩＴＣＨチップの３Ｖ３−ＳＹＳ端子に接続され、抵抗Ｒ９１３の他端がディスプレイスクリーンのＤＰ−ＳＩＮＫ−ＡＳＳ−Ｐ０端子に接続され、第２のコンデンサＣ１３５は、一端がそれぞれ第１のＳＷＩＴＣＨチップのＡＵＸＮ−０端子、抵抗Ｒ２２１の一端、及び抵抗Ｒ２１１の一端に接続され、他端がディスプレイスクリーンのＡＵＸ−ＣＨＮ−０端子に接続され、抵抗Ｒ２２１の他端が接地され、抵抗Ｒ２１１の他端がディスプレイスクリーンのＤＰ−ＳＩＮＫ−ＡＳＳ−Ｎ０端子に接続され、第２の表示信号処理回路は、第３のコンデンサＣ１４１及び第４のコンデンサＣ１４２を備え、第３のコンデンサＣ１４１は、一端がそれぞれ第２のＳＷＩＴＣＨチップのＡＵＸＰ−１端子、抵抗Ｒ２４５の一端、及び抵抗Ｒ２４４の一端に接続され、他端がディスプレイスクリーンのＡＵＸ−ＣＨＰ−１端子に接続され、抵抗Ｒ２４５の他端が第２のＳＷＩＴＣＨチップの３Ｖ３−ＳＹＳ端子に接続され、抵抗Ｒ２４４の他端がディスプレイスクリーンのＤＰ−ＳＩＮＫ−ＡＳＳ−Ｐ１端子に接続され、第４のコンデンサＣ１４２は、一端がそれぞれ第２のＳＷＩＴＣＨチップのＡＵＸＮ−１端子、抵抗Ｒ２４６の一端、及び抵抗Ｒ２４３の一端に接続され、他端がディスプレイスクリーンのＡＵＸ−ＣＨＮ−１端子に接続され、抵抗Ｒ２４６の他端が接地され、抵抗Ｒ２４３の他端がディスプレイスクリーンのＤＰ−ＳＩＮＫ−ＡＳＳ−Ｎ１端子に接続される。該ディスプレイドライバ基板は、携帯電話、テレビ又はタブレットのディスプレイスクリーンにおいて使用可能である。
【００２０】
ＴＹＰＥ−Ｃインタフェースは、最大１００ｗの電源を供給し、ＵＳＢ２．０／ＵＳＢ３．０が同時に存在し、両面挿入可能で、ビデオ信号を伝送することができ（ＵＳＢ３．０の機能に影響を与える）、ＴＹＰＥ−Ｃインタフェースの表示分野での応用は、ＵＳＢ３．０のハードウェアピンで表示信号を伝送するとともに、ＶＢＵＳ電源で給電することである。
【００２１】
本発明は電源と、プロトコル通信と、ＵＳＢ２．０と、ビデオ信号とを含む２つの全機能ＵＳＢ−Ｃ（ＴＹＰＥ−Ｃ）インタフェースを有し、この２つの信号インタフェースの機能が完全に一致している。
【００２２】
動作プロセスの説明は以下のとおりである。
【００２３】
装置（コンピュータ、携帯電話、タブレット）が一方のＴＹＰＥ−Ｃインタフェースに接続される場合、先ず、ＶＢＵＳは、基本電源を供給してプロトコルチップに給電し、プロトコルチップは、電源能力について装置と通信し、電源を要求し、装置は、電源を供給してディスプレイスクリーンに給電し、ＵＳＢポートスイッチャーを制御して装置（コンピュータ、携帯電話、タブレット）のＵＳＢポートを「アップリンクポート」（ホスト端）とし、本発明に係るディスプレイドライバ基板上にＵＳＢ−ＨＵＢ（すなわちＵＳＢシリアルポートチップ）を有し、複数のＵＳＢ装置が同時に接続可能であり、また、装置は、ディスプレイスクリーンのＥＤＩＤを読み取り、ディスプレイスクリーンがサポートできる表示能力を把握し、表示信号を送信し、表示信号がＳｃａｌｅｒの主制御処理（すなわち表示信号処理回路）によりディスプレイスクリーンを駆動して表示させ、他の同じ装置がアクセスされる場合、プロトコルチップは、後でアクセスされた装置と通信してその電源の入力出力能力を把握し、システムがどの装置により給電されるかを決定し、かつ他の装置を充電し、後でアクセスされたＵＳＢ２．０が「ダウンリンクポート」（キーボード、マウス、Ｕディスクと類似する）インタフェースとして割り当てられ、このように電源とＵＳＢ２．０装置の互換性の問題を解決することができる。このとき、電源が入れられる（又は先に電源を入れ、後で装置をアクセスする）場合、後で挿入される装置はただ電源装置である場合、プロトコルチップは、後でアクセスされた装置と先に通信してその電源出力能力を把握し、適切な電源を要求して先にアクセスされた装置を充電し、ディスプレイスクリーン装置に給電する。
【００２４】
ＳｗｉｔｃｈチップはＵＳＢ−Ｃの両面挿入時に表示信号の番号が逆であるという問題を解決するために設計され、両面挿入の時、プロトコルチップは、検出することができ、Ｓｗｉｔｃｈチップに通知すればよい。
【００２５】
ＵＳＢポートスイッチャーは、アクセスされる装置がＵＳＢ−ＨＵＢの「アップリンクポート」に接続されるか、或いは「ダウンリンクポート」に接続されるかを制御するためにプロトコルチップによって使用され、アクセスされる装置が電源である場合は「ダウンリンクポート」に接続され、アクセスされる装置が（コンピュータ、携帯電話、タブレット）である場合は先に「アップリンクポート」にアクセスされる。
【００２６】
以上は、デュアルＵＳＢ−Ｃディスプレイドライバ基板の動作原理、制御ロジック及び接続順次についての説明である。
【００２７】
図２−図１４に示されるチップのピン模式図及び回路構成図は、実施例としてのみ用いられ、その回路の容量値、抵抗値を限定するものではなく、かつ他の構造の類似回路も本技術案において使用することができ、それも保護されるべきである。
【００２８】
ディスプレイドライバ基板上の２つのＴＹＰＥ−Ｃインタフェースは、いずれも信号受信、データ伝送及びＰＤ電源管理の機能を有し、使用時に一方のＴＹＰＥ−Ｃインタフェースを電源入力に用い、他方のＴＹＰＥ−Ｃインタフェースをデータ伝送に用いることができ、便利で速い。また、使用過程に、２つのＴＹＰＥ−Ｃインタフェースのうち、一方のみが接続装置に接続される場合、ディスプレイドライバ基板上のプロトコルチップは、通信制御回路を介して接続装置に接続されるとともに、接続装置から電力を取得し、電力取得に失敗する場合はディスプレイスクリーンが動作せず、電力取得に成功する場合はディスプレイスクリーンを点灯させ、かつＵＳＢポートスイッチャーに接続されることでＵＳＢ  ＨＵＢチップに接続され、ＵＳＢ  ＨＵＢチップによりデータ接続のための複数のＵＳＢインタフェースを拡張する。
【００２９】
２つの接続装置がアクセスされる場合、
１．電源部分：システムは、電源出力能力の高い装置から電力を取得するとともに、電源能力の低い装置を充電し、
２．ＵＳＢ２．０接続部分：先にアクセスされた装置を「上部ポート」とした場合、後でアクセスされた装置が下部ポートになり、先にアクセスされた装置が「上部ポート」を用いていない場合、後でアクセスされた装置が「上部ポート」に接続され、
３．表示信号部分：装置の状況に応じて、変更しないように維持する（装置が出力する場合は受信して表示し、出力しない場合は表示しない）。
【００３０】
本発明は、ＴＹＰＥ−Ｃインタフェースにより異なる接続装置を検出することにより、テレビ、携帯電話又はタブレットのディスプレイスクリーンが電源を必要とする時に接続装置により提供可能であり、かつ給電能力の低い接続装置を優先的に選択して、給電能力の低い装置を充電し、本発明の使用効果を高め、人々の使用に高い利便性を提供する。
【図１】
0003223805.tif 000003
【図２】
0003223805.tif 000004
【図３】
0003223805.tif 000005
【図４】
0003223805.tif 000006
【図５】
0003223805.tif 000007
【図６】
0003223805.tif 000008
【図７】
0003223805.tif 000009
【図８】
0003223805.tif 000010
【図９】
0003223805.tif 000011
【図１０】
0003223805.tif 000012
【図１１】
0003223805.tif 000013
【図１２】
0003223805.tif 000014
【図１３】
0003223805.tif 000015
【図１４】
0003223805.tif 000016